(57)【要約】【課題】患者移送時のベッドサイドモニター間での連携を高めて、患者移動時の医療従事者の負担を軽減できるベッドサイドモニター及び生体情報モニタリングシステムを提供すること。【解決手段】ベッドサイドモニター１１Ａ〜１１Ｘ、１２Ａ〜１２Ｘ、１３Ａ〜１３Ｘは、トランスポートモニター２０が接続されたときに、自装置のアラーム設定値及び計測パラメータ設定値を、トランスポートモニター２０に保持されたアラーム設定値及び計測パラメータ設定値に基づいて変更可能とされている。これにより、医療従事者は、新たにアラーム設定値及び計測パラメータ設定値を入力しなくて済むようになる。【選択図】図２
2019013685.tif 000002
【特許請求の範囲】
【請求項１】
ベッドサイドモニターと、前記ベッドサイドモニターに接続可能な可搬型のトランスポートモニターと、を有する生体情報モニタリングシステムに用いられる前記ベッドサイドモニターであって、
前記トランスポートモニターが接続される接続部と、
前記トランスポートモニターが前記接続部に接続されたときに、自装置のアラーム設定値及び又は計測パラメータ設定値を、前記トランスポートモニターに保持されたアラーム設定値及び又は計測パラメータ設定値に基づいて変更可能な制御部と、
を具備するベッドサイドモニター。
【請求項２】
前記トランスポートモニターが前記接続部に接続されたときに、自装置のアラーム設定値及び又は計測パラメータ設定値を、前記トランスポートモニターに保持されたアラーム設定値及び又は計測パラメータ設定値に基づいて変更するか否かを選択可能となっている、
請求項１に記載のベッドサイドモニター。
【請求項３】
前記トランスポートモニターが前記接続部に接続されたときに、自装置のアラーム設定値及び又は計測パラメータ設定値を、前記トランスポートモニターに保持されたアラーム設定値及び又は計測パラメータ設定値に基づいて変更するか否かの問合せ画面を表示する表示部を、さらに具備する、
請求項２に記載のベッドサイドモニター。
【請求項４】
前記ベッドサイドモニターは、他のベッドサイドモニターにネットワーク接続されており、
前記トランスポートモニターが前記接続部に接続されたときに、前記他のベッドサイドモニターのうち前記トランスポートモニターが前に接続されていたベッドサイドモニターのアラーム設定値及び又は計測パラメータ設定値を前記ネットワークを介して取得可能となっている、
請求項１から請求項３のいずれか一項に記載のベッドサイドモニター。
【請求項５】
互いにネットワーク接続された複数のベッドサイドモニターと、前記複数のベッドサイドモニターに接続可能な可搬型のトランスポートモニターと、を有する生体情報モニタリングシステムであって、
前記複数のベッドサイドモニターのうち少なくとも一つのベッドサイドモニターは、
前記トランスポートモニターが接続される接続部と、
前記トランスポートモニターが前記接続部に接続されたときに、自装置のアラーム設定値及び又は計測パラメータ設定値を、前記ネットワークを介して前記トランスポートモニターが前に接続されていたベッドサイドモニターのアラーム設定値及び又は計測パラメータ値に基づいて変更可能な制御部と、
を具備する生体情報モニタリングシステム。
【請求項６】
前記少なくとも一つのベッドサイドモニターは、
前記トランスポートモニターが前記接続部に接続されたときに、自装置のアラーム設定値及び又は計測パラメータ値を、前記トランスポートモニターが前に接続されていたベッドサイドモニターのアラーム設定値及び又は計測パラメータ値に基づいて変更するか否かを選択可能となっている、
請求項５に記載の生体情報モニタリングシステム。
【請求項７】
前記少なくとも一つのベッドサイドモニターは、
前記トランスポートモニターが前記接続部に接続されたときに、自装置のアラーム設定値及び又は計測パラメータ設定値を、前記ネットワーク経由に加えて前記トランスポートモニター経由で変更可能となっている、
請求項５又は請求項６に記載の生体情報モニタリングシステム。
【請求項８】
前記少なくとも一つのベッドサイドモニターは、
前記トランスポートモニターが前記接続部に接続されたときに、前記トランスポートモニターに設定されている患者ＩＤを識別する患者ＩＤ識別部を、さらに具備し、
前記患者ＩＤ識別部によって識別された患者ＩＤに対応するアラーム設定値及び又は計測パラメータ設定値を、前記ネットワークを経由して取得する、
請求項５から請求項７のいずれか一項に記載の生体情報モニタリングシステム。
【請求項９】
前記少なくとも一つのベッドサイドモニターは、
前記患者ＩＤ識別部によって識別された患者ＩＤに対応するアラーム設定値及び又は計測パラメータ設定値のうち、前記トランスポートモニターが直前に接続されていたベッドサイドモニターのアラーム設定値及び又は計測パラメータ設定値を、前記ネットワークを経由して取得する、
請求項８に記載の生体情報モニタリングシステム。
【請求項１０】
前記複数のベッドサイドモニターは、病棟、手術室、集中治療室、緊急救命室、検査室、外来診察室、分娩室及び又は救急車に設けられており、
前記少なくとも一つのベッドサイドモニターは、
前記患者ＩＤ識別部によって識別された患者ＩＤに対応するアラーム設定値及び又は計測パラメータ設定値であり、かつ、自ベッドサイドモニターが配置されている病棟、手術室、集中治療室、緊急救命室、検査室、外来診察室、分娩室又は救急車に対応する室のベッドサイドモニターのうち前記トランスポートモニターが最も時間的に新しく接続されていたベッドサイドモニターのアラーム設定値及び又は計測パラメータ設定値を、前記ネットワークを経由して取得する、
請求項８に記載の生体情報モニタリングシステム。
【発明の詳細な説明】
【技術分野】
【０００１】
本発明は、ベッドサイドモニター及び生体情報モニタリングシステムに関する。
【背景技術】
【０００２】
病院などの医療現場においては、一人一人の患者の生体情報（例えば、心電図、血圧、呼吸回数、脈拍など）を、随時、収集したり、分析したり、表示したりすることが必要となる。また、患者は、病室、検査室、手術室などを移送されることになるので、その患者の生体情報の収集も患者の移送と一緒に行う必要がある。小型の医療用ポータブルモニタシステム（例えば特許文献１、２参照）が広く用いられている。
【０００３】
この種のシステムとして、据置型のベッドサイドモニターに可搬型のトランスポートモニターを接続可能（具体的にはドッキング及び取り外し可能）とされたものがある。なおこの種のベッドサイドモニターは、トランスポートモニターに対するホストモニターと言うこともできる。
【０００４】
トランスポートモニターは、心電図測定用電極などが接続される端子部、小型ディスプレイ、データ記憶装置、及び、バッテリなどを有し、患者が移送中でも生体情報を途切れなく取得し、それを表示及び記録することができる。患者の移送中にトランスポートモニターに記録された生体情報は、トランスポートモニターがベッドサイドモニターにドッキングされた際にベッドサイドモニターに転送される。ベッドサイドモニターに転送された生体情報は、ベッドサイドモニターに接続されたセントラルモニターにも送られる。
【０００５】
このようなトランスポートモニターを有するシステムを用いれば、移送中の患者の生体情報を容易に取得できる。また、ベッドサイドモニターにトランスポートモニターをドッキングするように構成したことにより、患者に装着された生体情報取得用の電極などをベッドサイドモニターとトランスポートモニターとの間で接続し直すことなく、トランスポートモニターをベッドサイドモニターに抜き差しするだけで生体情報の測定を継続できる。
【先行技術文献】
【特許文献】
【０００６】
【特許文献１】特表平８−５０４３４５号公報
【特許文献２】特表平８−５０４５３１号公報
【発明の概要】
【発明が解決しようとする課題】
【０００７】
しかしながら、従来の生体情報のモニタリングシステムでは、患者が移送されたときの各ベッドサイドモニター間での連携については十分な配慮がなされていなかった。
【０００８】
本発明は、以上の点を考慮してなされたものであり、患者移送時のベッドサイドモニター間での連携を高めて、患者移動時の医療従事者の負担を軽減できるベッドサイドモニター及び生体情報モニタリングシステムを提供する。
【課題を解決するための手段】
【０００９】
本発明のベッドサイドモニターの一つの態様は、
ベッドサイドモニターと、前記ベッドサイドモニターに接続可能な可搬型のトランスポートモニターと、を有する生体情報モニタリングシステムに用いられる前記ベッドサイドモニターであって、
前記トランスポートモニターが接続される接続部と、
前記トランスポートモニターが前記接続部に接続されたときに、自装置のアラーム設定値及び又は計測パラメータ設定値を、前記トランスポートモニターに保持されたアラーム設定値及び又は計測パラメータ設定値に基づいて変更可能な制御部と、
を具備する。
【００１０】
本発明の生体情報モニタリングシステムの一つの態様は、
互いにネットワーク接続された複数のベッドサイドモニターと、前記複数のベッドサイドモニターに接続可能な可搬型のトランスポートモニターと、を有する生体情報モニタリングシステムであって、
前記複数のベッドサイドモニターのうち少なくとも一つのベッドサイドモニターは、
前記トランスポートモニターが接続される接続部と、
前記トランスポートモニターが前記接続部に接続されたときに、自装置のアラーム設定値及び又は計測パラメータ設定値を、前記ネットワークを介して前記トランスポートモニターが前に接続されていたベッドサイドモニターのアラーム設定値及び又は計測パラメータ値に基づいて変更可能な制御部と、
を具備する。
【発明の効果】
【００１１】
本発明によれば、患者が移送されたときに、医療従事者がアラーム設定値及び又は計測パラメータ値を新たに入力しなくても、前のアラーム設定値及び又はパラメータ設定値が引き継がれるので、患者移動時の医療従事者の負担を軽減できるベッドサイドモニター及び生体情報モニタリングシステムを実現できる。
【図面の簡単な説明】
【００１２】
【図１】実施の形態に係るベッドサイドモニター及びトランスポートモニターのドッキング（接続）の様子を示す図であり、図１Ａはベッドサイドモニターからトランスポートモニターを取り外す様子を示す図、図１Ｂは患者と一緒にトランスポートモニターを移動させる様子を示す図、図１Ｃはベッドサイドモニターにトランスポートモニターをドッキングさせる様子を示す図
【図２】実施の形態のベッドサイドモニター及びトランスポートモニターが接続される院内システムの概略構成を示す図
【図３】実施の形態のベッドサイドモニターの構成を示すブロック図
【図４】トランスポートモニターがベッドサイドモニターから外されたときにタッチパネルに表示される画面を示す図
【図５】トランスポートモニターがベッドサイドモニターに接続されたときにタッチパネルに表示される患者選択画面を示す図
【図６】トランスポートモニターの移動と、それに伴うアラーム設定値及び計測パラメータ設定値の変更の説明に供する図
【図７】トランスポートモニターの移動と、それに伴うアラーム設定値及び計測パラメータ設定値の変更の説明に供する図
【図８】トランスポートモニターの移動と、それに伴うアラーム設定値及び計測パラメータ設定値の変更の説明に供する図
【図９】変更の問合せ画面を示す図
【図１０】トランスポートモニターの移動例を示す図
【発明を実施するための形態】
【００１３】
以下、本発明の実施の形態を、図面を参照して説明する。
【００１４】
＜１＞全体構成
先ず、実施の形態の全体構成及び前提構成について説明する。
【００１５】
図１は、ベッドサイドモニター１１、１２及びトランスポートモニター２０のドッキング（接続）の様子を示す図である。ここで、図示していないが、トランスポートモニター２０には、心電図測定用電極などの患者の生体情報を取得するための生体情報検出部が接続されている。
【００１６】
患者が、ベッドサイドモニター１１が配置された場所からベッドサイドモニター１２が配置された場所へと移送される場合、医師や看護師などの医療従事者はベッドサイドモニター１１からトランスポートモニター２０を取り外し（図１Ａ）、患者と一緒にトランスポートモニターを移動させた（図１Ｂ）後、ベッドサイドモニター１２にトランスポートモニター２０をドッキングさせる（図１Ｃ）。このようにすることで、患者の移送中でもトランスポートモニター２０によってその患者の生体情報を取得することができる。
【００１７】
ここで、トランスポートモニター２０の底面や側面、及び、それに対応するベッドサイドモニター１１、１２の面には、ドッキングしたときに互いに電気的に接続するコネクタ部が設けられており、これにより、トランスポートモニター２０とベッドサイドモニター１１、１２は、このコネクタ部を介して互いに生体情報及び設定情報などの情報を送受できるようになっている。
【００１８】
ベッドサイドモニター１１、１２とトランスポートモニター２０とを互いに比較した場合の各装置の特徴は以下の通りである。
【００１９】
ベッドサイドモニター：
・ベッドサイドに据え置いて設置されることが想定されており、トランスポートモニターよりも重い。
・表示できる生体情報の計測パラメータの数がトランスポートモニターよりも多い。
・接続できる外部機器の数がトランスポートモニターよりも多い。
・ディスプレイがトランスポートモニターよりも大きく、拡張ディスプレイも接続できる。
・セントラルモニターにネットワーク接続されることが前提となっている。
【００２０】
トランスポートモニター：
・持ち運びすることが想定されており、ベッドサイドモニターよりも小型で軽い。
・表示できる生体情報の計測パラメータの数がベッドサイドモニターよりも少ない。
・接続できる外部機器の数がベッドサイドモニターよりも少ない。
・ディスプレイがベッドサイドモニターよりも小さい。
・移動中に患者の生体情報を記録できるメモリを有する。このメモリは、例えば１０日間分の生体情報を記録できる容量を有する。
【００２１】
なお、ベッドサイドモニターとトランスポートモニターは必ずしも上述の特徴の全てを有する必要は無いが、少なくともトランスポートモニターはベッドサイドモニターよりも小型で軽く構成されており、持ち運び可能である。
【００２２】
図２は、本実施の形態のベッドサイドモニター及びトランスポートモニターが接続される病院内システム（以下「院内システム」と呼ぶ）１０の概略構成を示す図である。院内システム１０では、手術室に１以上のベッドサイドモニター１１Ａ〜１１Ｘが設置され、ＩＣＵ(Intensive Care Unit：集中治療室)に１以上のベッドサイドモニター１２Ａ〜１２Ｘが設置され、病棟に１以上のベッドサイドモニター１３Ａ〜１３Ｘが設置されている。なお、本明細書で述べる「病棟」とは、手術室やＩＣＵなどの特別な処置室を除くいわゆる「一般病棟」のことである。
【００２３】
手術室のベッドサイドモニター１１Ａ〜１１Ｘはセントラルモニター３１に接続されており、ＩＣＵのベッドサイドモニター１２Ａ〜１２Ｘはセントラルモニター３２に接続されており、病棟のベッドサイドモニター１３Ａ〜１３Ｘはセントラルモニター３３に接続されている。
【００２４】
さらに、セントラルモニター３１、３２、３３は、サーバ装置４０に接続されている。これにより、ベッドサイドモニター１１Ａ〜１１Ｘにより取得された生体情報はセントラルモニター３１に集約されて表示や記録が行われ、ベッドサイドモニター１２Ａ〜１２Ｘにより取得された生体情報はセントラルモニター３２に集約されて表示や記録が行われ、ベッドサイドモニター１３Ａ〜１３Ｘにより取得された生体情報はセントラルモニター３３に集約されて表示や記録が行われる。また、セントラルモニター３１、３２、３３で取得された生体情報はサーバ装置４０に集約されて記録される。サーバ装置４０は、例えばセントラルモニター３１、３２、３３やベッドサイドモニター１１Ａ〜１１Ｘ、１２Ａ〜１２Ｘ、１３Ａ〜１３Ｘの要求に応じて、記録した生体情報をセントラルモニター３１、３２、３３やベッドサイドモニター１１Ａ〜１１Ｘ、１２Ａ〜１２Ｘ、１３Ａ〜１３Ｘに送ることができる。
【００２５】
トランスポートモニター２０は、各ベッドサイドモニター１１Ａ〜１１Ｘ、１２Ａ〜１２Ｘ、１３Ａ〜１３Ｘにドッキング（接続）可能であり、患者と一緒に移動し、患者が移送された先のベッドサイドモニター１１Ａ〜１１Ｘ、１２Ａ〜１２Ｘ、１３Ａ〜１３Ｘにドッキング（接続）される。
【００２６】
なお、図２では、院内システム１０を示したが、トランスポートモニター２０は、例えば救急車内に設けられたベッドサイドモニターにドッキング（接続）することもできる。
【００２７】
＜２＞ベッドサイドモニターの構成
図３は、本実施の形態のベッドサイドモニター１００の構成を示すブロック図である。ベッドサイドモニター１００は、図１及び図２のベッドサイドモニター１１Ａ〜１１Ｘ、１２Ａ〜１２Ｘ、１３Ａ〜１３Ｘとして用いられるものである。
【００２８】
ベッドサイドモニター１００は、コネクタ部１０１、１０２、１０３を有する。
【００２９】
コネクタ部１０１は、患者に装着された生体情報検出部をベッドサイドモニター１００に接続するためのコネクタである。コネクタ部１０１には、心電図を検出するための心電図測定用電極２０１、血圧を検出するための血圧測定用カフ２０２、体温を検出するための体温センサ２０３、ＳｐＯ２を検出するためのＳｐＯ２センサ２０４、及び心拍出量を検出するための心拍出量センサ２０５等の生体情報検出部が接続される。
【００３０】
コネクタ部１０２には、トランスポートモニター２０が接続される。コネクタ部１０３には、セントラルモニター３０が接続される。
【００３１】
計測処理部１０４は、所定の計測処理を実行することで、コネクタ部１０１に接続された生体情報検出部（心電電極２０１、血圧測定用カフ２０２、体温センサ２０３、ＳｐＯ２センサ２０４及び心拍出量センサ２０５）を用いて患者の生体情報を計測する。なお、上記生体情報検出部を用いた各種生体情報の計測方法については従来周知のものを適用可能であるため、ここではその詳細な説明を省略する。計測処理部１０４によって得られた生体情報は、記憶部１０５に記憶されるとともにタッチパネル１０９に表示される。
【００３２】
一方、トランスポートモニター２０によって取得された生体情報は、コネクタ部１０２及び送受信処理部１０６を介して記憶部１０５に記憶される。因みに、トランスポートモニター２０の移動中にトランスポートモニター２０によって取得された生体情報は、一旦トランスポートモニターの記憶部（図示せず）に記憶され、ベッドサイドモニター１００と接続されたときにコネクタ部１０２及び送受信処理部１０６を介してベッドサイドモニター１００の記憶部１０５に転送記憶される。
【００３３】
記憶部１０５に記憶された生体情報は、送受信処理部１０６及びコネクタ部１０３を介してセントラルモニター３０に送られる。これにより、セントラルモニター３０では、ベッドサイドモニター１００及びトランスポートモニター２０で取得された生体情報を表示及び記録することができる。
【００３４】
制御部１１０は、計測処理部１０４、送受信処理部１０６、表示制御部１０７及びアラームインジケータ１０８を制御する。
【００３５】
タッチパネル１０９は、表示制御部１０７によって制御され、生体情報を計測値又は波形の形式で表示する。また、タッチパネル１０９は、生体情報を表示する表示機能を有するだけでなく、操作者による入力操作を受け付ける操作入力部としての機能も有する。具体的には、タッチパネル１０９におけるユーザーのタッチ操作を示す情報がタッチパネル１０９から制御部１１０に送られ、制御部１１０はタッチ操作に従って、タッチパネル１０９上での表示変更やベッドサイドモニター１００のモード変更、各種の登録処理などを行う。
【００３６】
アラームインジケータ１０８は、ベッドサイドモニター１００の筐体上部などに設けられており、制御部１１０によって生体情報に異常が生じたと判定されたときに例えば赤色に発光するようになっている。
【００３７】
また、ベッドサイドモニター１００は、接続検出部１１１及びＩＤ識別部１１２を有する。接続検出部１１１は、コネクタ部１０２にトランスポートモニター２０が接続されているか否かを検出し、検出結果を制御部１１０に送出する。ＩＤ識別部１１２は、コネクタ部１０２に接続されたトランスポートモニター２０に設定されている患者ＩＤをコネクタ部１０２を介して入力し、この患者ＩＤが以前に接続されたトランスポートモニター２０の患者ＩＤと同じか否かを識別し、識別結果を制御部１１０に送出する。
【００３８】
トランスポートモニター２０がベッドサイドモニター１００から外された場合、接続検出部１１１によってこのことが検出され、タッチパネル１０９には、図４に示す画面が表示される。ユーザー（医療従事者）によって「モニター中断」ボタンがタッチされると、ベッドサイドモニター１００はモニタリングの中断モードとなり、生体情報のモニタリングを中断する。これに対して、ユーザーによって「退床」ボタンがタッチされると、ベッドサイドモニター１００は退床処理を行う。
【００３９】
トランスポートモニター２０がベッドサイドモニター１００に接続された場合、接続検出部１１１によってこのことが検出され、タッチパネル１０９には、図５に示す患者選択画面が表示される。ユーザーは、この画面において、トランスポートモニター２０に設定されている患者ＩＤに紐付けられた患者情報を使うモード、本装置（ベッドサイドモニター１００）に設定されている患者ＩＤに紐付けられた患者情報を使うモード、又は、新規に患者情報を入力してモニタリングを開始するモードのうちのいずれかを選択できる。
【００４０】
＜３＞実施の形態によるアラーム設定値及び計測パラメータ設定値の変更
次に、本実施の形態によるアラーム設定値及び計測パラメータ設定値の変更について説明する。
【００４１】
図６−図８は、トランスポートモニター２０の移動と、それに伴うアラーム設定値及び計測パラメータ設定値の変更の例を示す図である。
【００４２】
先ず、図６に示したように、トランスポートモニター２０がＩＣＵのベッドサイドモニター１２Ａにドッキングされ、その状態で生体情報が取得される。この場合、ベッドサイドモニター１２Ａは、自装置（つまりベッドサイドモニター１２Ａ）に現在設定されているアラーム設定値及び計測パラメータ設定値で動作している。
【００４３】
因みに、アラーム設定値とはアラーム出力の判定基準となる閾値である。計測パラメータ設定値とは、各生体情報を計測するときの計測パラメータの設定値である。例えば、患者によってインピーダンス呼吸がＩＩ誘導よりＩ誘導の方が計測し易い場合には、呼吸検出誘導の計測パラメータがＩ誘導に設定される。また例えば、ＥＣＧの検出感度を各誘導別に変えている場合にも計測パラメータ設定値が用いられ、ＮＩＢＰの計測間隔なども計測パラメータ設定値によって規定される。
【００４４】
本実施の形態のトランスポートモニターは、ドッキングしたベッドサイドモニター１２Ａのアラーム設定値及び計測パラメータ設定値をベッドサイドモニター１２Ａから受け取り、ファイル形式で記憶部１０５（図３）に記憶する。このベッドサイドモニター１２Ａのアラーム設定値及び計測パラメータ設定値には、トランスポートモニター２０のアラーム設定値及び計測パラメータ設定値も含まれる。通常、トランスポートモニターのアラーム動作及び生体情報計測動作は、ベッドサイドモニターのアラーム動作及び生体情報計測動作と比較して簡易的なものであり、よって、そのアラーム設定値及び計測パラメータ設定値はベッドサイドモニターのアラーム設定値及び計測パラメータ設定値の一部を流用できるためである。
【００４５】
次に、図７に示したように、トランスポートモニター２０がベッドサイドモニター１２Ａから外され、患者と一緒に移動しながら移動中の生体情報を取得する。このとき、トランスポートモニター２０は、トランスポートモニター２０のアラーム設定値及び計測パラメータ設定値で動作している。
【００４６】
次に、図８に示したように、トランスポートモニター２０は病棟のベッドサイドモニター１３Ａにドッキングされる。ベッドサイドモニター１３Ａはトランスポートモニター２０からベッドサイドモニター１２Ａのアラーム設定値及び計測パラメータ設定値を受け取り、ベッドサイドモニター１２Ａのアラーム設定値及び計測パラメータ設定値で動作する。
【００４７】
実際上、ベッドサイドモニター１３Ａは、接続部検出部１１１によってトランスポートモニター２０が接続されたことを検出すると、制御部１１０が送受信処理部１０６を介してトランスポートモニター２０の記憶部にアクセスし、この記憶部に記憶されているベッドサイドモニター１２Ａのアラーム設定値及び計測パラメータ設定値に基づいて自装置のアラーム設定値及び計測パラメータ設定値を変更するようになっている。
【００４８】
ただし、ベッドサイドモニター１３Ａは、トランスポートモニター２０がドッキングされたときに、図９に示したように、タッチパネル１０９に、自装置のアラーム設定値及び計測パラメータ設定値を、トランスポートモニター２０に保持されたアラーム設定値及び計測パラメータ設定値に基づいて変更するか否かの問合せ画面を表示する。そして、ユーザーが「はい」のボタンを操作した後に「設定変更」のボタンを操作した場合に、自装置のアラーム設定値及び計測パラメータ設定値を、トランスポートモニター２０に保持されたアラーム設定値及び計測パラメータ設定値に基づいて変更する。これに対して、ユーザーが「いいえ」のボタンを操作した後に「設定変更」のボタンを操作した場合には、自装置のアラーム設定値及び計測パラメータ設定値は、トランスポートモニター２０に保持されたアラーム設定値及び計測パラメータ設定値には変更されず、例えば自装置に既に設定されているアラーム設定値及び計測パラメータ設定値を用いた生体情報の測定が行われる。
【００４９】
これにより、ベッドサイドモニター１３Ａを操作する医療従事者が、トランスポートモニターが前に接続されていたベッドサイドモニター１２Ａでのアラーム設定値及び計測パラメータ設定値を引き継いだ生体情報の計測を行いたい場合、新たにベッドサイドモニター１２Ａと同様のアラーム設定値及び計測パラメータ設定値を入力しなくて済む。この結果、患者移送時の医療従事者の負担を軽減できる。
【００５０】
＜４＞実施の形態の効果
以上説明したように、本実施の形態によれば、ベッドサイドモニター１００は、トランスポートモニター２０が接続されたときに、自装置のアラーム設定値及び計測パラメータ設定値を、トランスポートモニター２０に保持されたアラーム設定値及び計測パラメータ設定値に基づいて変更可能とされている。これにより、患者移動時のベッドサイドモニター間での連携を高めて、患者移動時の医療従事者の負担を軽減できるベッドサイドモニター１００を実現できる。
【００５１】
＜５＞他の実施の形態
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００５２】
＜５−１＞上述の実施の形態では、トランスポートモニター２０が前に接続されていたベッドサイドモニター１２Ａのアラーム設定値及び計測パラメータ設定値をトランスポートモニター２０に記憶し、これを次に接続されたベッドサイドモニター１３Ａに渡す場合について述べたが、トランスポートモニター２０はベッドサイドモニター１２Ａのアラーム設定値及び計測パラメータ設定値を記憶せずに、自装置（つまりトランスポートモニター２０）のアラーム設定値及び計測パラメータ設定値をベッドサイドモニター１３Ａに渡すようにしてもよい。このようにすれば、ベッドサイドモニター１３Ａは、トランスポートモニター２０のアラーム設定値及び計測パラメータ設定値に基づいて動作することができる。
【００５３】
ただし、通常、トランスポートモニター２０のアラーム設定値及び計測パラメータ設定値は、ベッドサイドモニター用のアラーム設定値及び計測パラメータ設定値とは計測パラメータ数や設定精度が異なる場合が多い。つまり、ベッドサイドモニターの方がトランスポートモニターよりも、アラーム設定値及び計測パラメータ設定値としてより多くの値が用いられる。
【００５４】
これを考慮すると、ベッドサイドモニター１３Ａは、トランスポートモニター２０が接続されたときに、トランスポートモニター２０からトランスポートモニター２０のアラーム設定値及び計測パラメータ設定値を受け取ることに加えて、ネットワークを介してトランスポートモニター２０が前に接続されていたベッドサイドモニター１２Ａのアラーム設定値及び計測パラメータ設定値を取得可能となっていることが好ましい。このようにすれば、トランスポートモニター２０のアラーム設定値及び計測パラメータ設定値では不足しているアラーム設定値及び計測パラメータ設定値をネットワークを介してトランスポートモニター２０が前に接続されていたベッドサイドモニター１２Ａ或いはセントラルモニター３２から受け取ることができるようになる。
【００５５】
因みに、患者ＩＤはトランスポートモニター２０を介してベッドサイドモニターに１２Ａ、１３Ａに伝達されるので、ベッドサイドモニター１２Ａ、１３Ａのセントラルモニター３２、３３は、ベッドサイドモニター１２Ａ、１３Ａに接続された患者の患者ＩＤを把握している。よって、新たにトランスポートモニター２０が接続されたベッドサイドモニター１３Ａに、対応する患者ＩＤのベッドサイドモニター１２Ａのアラーム設定値及び計測パラメータ設定値をセントラルモニター３３、３２を介してネットワーク経由で送ることができる。
【００５６】
具体的に説明する。トランスポートモニター２０が接続されたベッドサイドモニター１３Ａは、セントラルモニター３３に患者ＩＤ＝Ａのアラーム設定値及び計測パラメータ設定値を問い合わせる。すると、セントラルモニター３３は、サーバ装置４０に患者ＩＤ＝Ａの最新時刻のアラーム設定値及び計測パラメータ設定値を要求する。サーバ装置４０は、セントラルモニター３２から患者ＩＤ＝Ａの最新時刻のアラーム設定値及び計測パラメータ設定値を入手し、これをセントラルモニター３３に渡す。セントラルモニター３３はこのアラーム設定値及び計測パラメータ設定値をベッドサイドモニター１３Ａに渡す。この結果、ベッドサイドモニター１３Ａ及びセントラルモニター３３の患者ＩＤ＝Ａのアラーム設定値及び計測パラメータ設定値がトランスポートモニター２０が前に接続されていたベッドサイドモニター１２Ａと同じ値に変更される。
【００５７】
なお、トランスポートモニター２０の接続先のベッドサイドモニター１３Ａは、トランスポートモニター２０からアラーム設定値及び計測パラメータ設定値を受け取らずに、全てのアラーム設定値及び計測パラメータ設定値をネットワーク経由で取得するようにしてもよい。
【００５８】
＜５−２＞上述の実施の形態では、トランスポートモニター２０が接続されたとき、ベッドサイドモニター１３Ａが、図９に示したような問合せ画面を表示することにより、アラーム設定値及び計測パラメータ設定値を変更するか否かを選択可能な構成としたが、変更するか否かを実現するための構成は問合せ画面を表示する構成に限らない。
【００５９】
例えば、予め変更を許可する室と、変更を許可しない室とを設定しておく構成としてもよい。これについて説明する。図１０に示したように、トランスポートモニター２０が病棟のベッドサイドモニター  →  手術室のベッドサイドモニター  →  ＩＣＵのベッドサイドモニター  →  病棟のベッドサイドモニターに順に接続されたものとする。ここで、一般に、病棟のベッドサイドモニターのアラーム設定値及び計測パラメータ設定値は、手術室やＩＣＵのベッドサイドモニターのアラーム設定値及び計測パラメータ設定値とは大きく異なる。よって、トランスポートモニター２０が病棟のベッドサイドモニターに接続されたときに、その直前にトランスポートモニターが接続されていたベッドサイドモニターがＩＣＵや手術室のものであれば変更を許可せず、病棟のものであれば変更を許可するように設定するとよい。
【００６０】
また、ネットワーク経由でアラーム設定値及び計測パラメータ設定値を受け取る構成の場合には、トランスポートモニター２０が接続されたベッドサイドモニターは、患者ＩＤ識別部によって識別された患者ＩＤに対応するアラーム設定値及び計測パラメータ設定値であり、かつ、自ベッドサイドモニターが配置されている病棟、手術室、集中治療室、緊急救命室、検査室、外来診察室、分娩室又は救急車に対応する室のベッドサイドモニターのうちトランスポートモニター２０が最も時間的に新しく接続されていたベッドサイドモニターのアラーム設定値及び計測パラメータ設定値を、ネットワークを経由して取得すると好適である。因みに、上述の実施の形態では、生体情報の取得場所、つまりベッドサイドモニターが設置される場所として病棟、手術室、集中治療室、緊急救命室を例に挙げたが、生体情報の取得場所はこれに限らず、例えば検査室、外来診察室、分娩室、救急車などであってもよい。
【００６１】
＜５−３＞上述の実施の形態では、アラーム設定値及び計測パラメータ設定値の両方を変更する場合について述べたが、いずれか一方のみ、例えばアラーム設定値のみを変更するようにしてもよい。
【００６２】
＜５−４＞上述の実施の形態のトランスポートモニターは、テレメータと読み換えて実施することもできる。つまり、本発明のトランスポートモニターは、ベッドサイドモニターに接続可能である、移動可能な生体情報測定装置を意味する。
【産業上の利用可能性】
【００６３】
本発明は、アラーム設定値及び計測パラメータ設定値を変更可能なベッドサイドモニターに広く適用可能である。
【符号の説明】
【００６４】
１１、１１Ａ〜１１Ｘ、１２、１２Ａ〜１２Ｘ、１３Ａ〜１３Ｘ、１００  ベッドサイドモニター
２０  トランスポートモニター
３０、３１、３２、３３  セントラルモニター
１０１、１０２、１０３  コネクタ部
１１０  制御部
１１１  接続検出部
１１２  ＩＤ識別部
【図１】
2019013685.tif 000003
【図２】
2019013685.tif 000004
【図３】
2019013685.tif 000005
【図４】
2019013685.tif 000006
【図５】
2019013685.tif 000007
【図６】
2019013685.tif 000008
【図７】
2019013685.tif 000009
【図８】
2019013685.tif 000010
【図９】
2019013685.tif 000011
【図１０】
2019013685.tif 000012